(57)【要約】【課題】購入依頼が途中の状態においても、購入依頼を妨げられずに継続することを目的とする。【解決手段】番組に関連する商品の購入要求に応じて、購入依頼を行う購入依頼手段と、購入依頼手段における商品の購入依頼が未完了の状態において発生する各イベントに応じて、商品の購入に係る商品購入画面を表示装置に表示させる表示手段と、を有することによって課題を解決する。【選択図】図２
2008061201.tif 000002
【特許請求の範囲】
【請求項１】
番組に関連する商品の購入要求に応じて、購入依頼を行う購入依頼手段と、
前記購入依頼手段における商品の購入依頼が未完了の状態において発生する各イベントに応じて、商品の購入に係る商品購入画面を表示装置に表示させる表示手段と、
を有することを特徴とする番組受信装置。
【請求項２】
前記イベントが電源ＯＦＦ要求であった場合、前記表示手段は、前記商品購入画面に電源ＯＦＦに係るボタンを表示することを特徴とする請求項１に記載の番組受信装置。
【請求項３】
前記イベントが電源ＯＦＦ要求であった場合、前記表示手段は、前記商品購入画面に電源ＯＦＦに係る要求を受け取ったが、前記商品の購入が未完了である旨を表示することを特徴とする請求項１又は２に記載の番組受信装置。
【請求項４】
前記表示手段は、前記商品購入画面以外に、番組の画像に係る番組画像画面を前記表示装置に表示させ、
前記イベントが予約されていた番組の実行要求であった場合、前記表示手段は、前記番組画像画面の画像を予約されていた番組の画像に切り替える共に、前記商品購入画面に視聴予約のため予約されていた番組に切り替えた旨を表示することを特徴とする請求項１乃至３の何れか１項に記載の番組受信装置。
【請求項５】
前記表示手段は、前記商品購入画面以外に、番組の画像に係る番組画像画面を前記表示装置に表示させ、
前記イベントがチャンネルの切り替え要求であった場合、前記表示手段は、前記番組画像画面の画像を切り替えられた番組の画像に切り替えると共に、前記商品購入画面にチャンネルが切り替えられた旨を表示することを特徴とする請求項１乃至４の何れか１項に記載の番組受信装置。
【請求項６】
前記表示手段は、前記商品購入画面以外に、番組の画像に係る番組画像画面を前記表示装置に表示させ、
前記イベントが外部入力の切り替え要求であった場合、前記表示手段は、前記番組画像画面の画像を外部入力に係る画像に切り替えると共に、前記商品購入画面に入力が切り替えられた旨を表示することを特徴とする請求項１乃至５の何れか１項に記載の番組受信装置。
【請求項７】
番組に関連する商品の購入要求に応じて、前記商品の購入予約を行う購入予約手段と、
前記商品に係る購入依頼を行う購入依頼手段と、
前記購入予約手段による処理により、商品が購入予約状態となった後に発生する各イベントに応じて、商品の購入に係る商品購入画面を表示装置に表示させる表示手段と、
を有することを特徴とする番組受信装置。
【請求項８】
前記表示手段は、前記商品購入画面に、前記購入予約手段における購入予約によって購入予約状態となった商品の一覧情報を含めることを特徴とする請求項７に記載の番組受信装置。
【請求項９】
前記イベントが電源ＯＦＦ要求であった場合、前記表示手段は、前記商品購入画面に電源ＯＦＦに係るボタンを表示することを特徴とする請求項７又は８に記載の番組受信装置。
【請求項１０】
前記イベントが電源ＯＦＦ要求であった場合、前記表示手段は、前記商品購入画面に電源ＯＦＦに係る要求を受け取ったが、前記商品の購入が未完了である旨を表示することを特徴とする請求項７乃至９の何れか１項に記載の番組受信装置。
【請求項１１】
前記表示手段は、前記商品購入画面以外に、番組の画像に係る番組画像画面を前記表示装置に表示させ、
前記イベントが予約されていた番組の実行要求であった場合、前記表示手段は、前記番組画像画面の画像を予約されていた番組の画像に切り替える共に、前記商品購入画面に視聴予約のため予約されていた番組に切り替えた旨と、購入予約を行っている商品があることと、を表示することを特徴とする請求項７乃至１０の何れか１項に記載の番組受信装置。
【請求項１２】
前記表示手段は、前記商品購入画面以外に、番組の画像に係る番組画像画面を前記表示装置に表示させ、
前記イベントがチャンネルの切り替え要求であった場合、前記表示手段は、前記番組画像画面の画像を切り替えられた番組の画像に切り替えると共に、前記商品購入画面にチャンネルが切り替えられた旨と、購入予約を行っている商品があることと、を表示することを特徴とする請求項７乃至１１の何れか１項に記載の番組受信装置。
【請求項１３】
前記表示手段は、前記商品購入画面以外に、番組の画像に係る番組画像画面を前記表示装置に表示させ、
前記イベントが外部入力の切り替え要求であった場合、前記表示手段は、前記番組画像画面の画像を外部入力に係る画像に切り替えると共に、前記商品購入画面に入力が切り替えられた旨と、購入予約を行っている商品があることと、を表示することを特徴とする請求項７乃至１２の何れか１項に記載の番組受信装置。
【請求項１４】
前記購入予約手段によって、前記商品の購入予約が行われた場合、前記番組の終了時刻を算出する終了時刻算出手段と、
購入履歴情報に基づいて、今月の商品の購入合計額算出する合計額算出手段と、
を更に有し、
前記イベントが、前記終了時刻算出手段が算出した終了時刻に基づいた前記番組の終了通知であった場合、前記表示手段は、前記商品購入画面に、前記合計額算出手段が算出した今月の商品の購入合計額を表示することを特徴とする請求項７乃至１３の何れか１項に記載の番組受信装置。
【請求項１５】
前記購入予約手段によって、前記商品の購入予約が行われた場合、前記商品の残個数を受信する残個数受信手段と、
前記算個数が設定された個数より少ない場合、前記表示手段は、前記商品購入画面に、残個数がわずかである旨を表示することを特徴とする請求項７乃至１４の何れか１項に記載の番組受信装置。
【請求項１６】
前記購入依頼手段における商品の購入依頼が完了すると、前記商品の購入に係る購入完了情報を、ネットワークを介して通信可能な印刷装置に印刷させる印刷制御手段を更に有することを特徴とする請求項１乃至１５の何れか１項に記載の番組受信装置。
【請求項１７】
前記表示手段は、前記購入依頼手段における商品の購入依頼が完了すると、前記商品の購入に係る購入完了情報を印刷するか否かを選択させる選択画面を前記表示装置に表示させることを特徴とする請求項１乃至１５の何れか１項に記載の番組受信装置。
【請求項１８】
番組受信装置における商品購入制御方法であって、
番組に関連する商品の購入要求に応じて、購入依頼を行う購入依頼ステップと、
前記購入依頼ステップにおける商品の購入依頼が未完了の状態において発生する各イベントに応じて、商品の購入に係る商品購入画面を表示装置に表示させる表示ステップと、
を有することを特徴とする商品購入制御方法。
【請求項１９】
番組受信装置における商品購入制御方法であって、
番組に関連する商品の購入要求に応じて、前記商品の購入予約を行う購入予約ステップと、
前記商品に係る購入依頼を行う購入依頼ステップと、
前記購入予約ステップによる処理により、商品が購入予約状態となった後に発生する各イベントに応じて、商品の購入に係る商品購入画面を表示装置に表示させる表示ステップと、
を有することを特徴とする商品購入制御方法。
【請求項２０】
前記購入依頼ステップにおける商品の購入依頼が完了すると、前記商品の購入に係る購入完了情報を、ネットワークを介して通信可能な印刷装置に印刷させる印刷制御ステップを更に有することを特徴とする請求項１８又は１９に記載の商品購入制御方法。
【発明の詳細な説明】
【技術分野】
【０００１】
本発明は、番組受信装置及び商品購入制御方法に関する。
【背景技術】
【０００２】
デジタル放送波の実用化に伴い、デジタルテレビ信号を用いてマルチメディア双方向サービスを提供する放送システムが実用化されている。例えば、放送局からユーザー端末にデータを送る下り線を放送波とし、ユーザー端末から放送局へデータを送る上り線として電話網（公衆網）やインターネット、或いはＣＡＴＶを利用するような形態により、双方向サービスを提供している。このような放送システムでは、デジタル放送波の映像や音声で商品紹介を行ったり、デジタル放送波に多重化した文字多重信号で商品紹介を行ったりすることにより、視聴者が所定のメディアを用いて商品購入の注文を行うことができるようになっている。
【０００３】
例えば、特許文献１には、デジタル放送におけるショッピングにおいて、受信装置の記録領域に商品情報を記録して商品を購入する方法が記載されている。
【０００４】
また、特許文献２には、通信販売番組を視聴しながら手軽に購入希望の商品選択が行え、番組終了後においても購入手続きができる通信販売システム、視聴者ネットワーク端末及び通信販売方法を提供する方法が記載されている。
【０００５】
【特許文献１】特開２００２−３５８４３５号公報
【特許文献２】特開２００５−５１６２７号公報
【発明の開示】
【発明が解決しようとする課題】
【０００６】
しかしながら、受信装置であるテレビでは、従来のインターネットにおけるショッピングと異なり、チャンネル切り替えや突然の電源ＯＦＦ等の突発的な動作が起こりうる。そして、このような突発的な状況により、購入依頼を行おうとしていた商品が購入できないという不具合が発生することを回避する必要がある。しかしながら、従来はこのような突発的な状況における対策については言及されていない問題があった。
【０００７】
本発明はこのような問題点に鑑みなされたもので、購入依頼が途中の状態においても、購入依頼を妨げられずに継続することを目的とする。
【課題を解決するための手段】
【０００８】
そこで、本発明の番組受信装置は、番組に関連する商品の購入要求に応じて、購入依頼を行う購入依頼手段と、前記購入依頼手段における商品の購入依頼が未完了の状態において発生する各イベントに応じて、商品の購入に係る商品購入画面を表示装置に表示させる表示手段と、を有することを特徴とする。
【０００９】
また、本発明の番組受信装置は、番組に関連する商品の購入要求に応じて、前記商品の購入予約を行う購入予約手段と、前記商品に係る購入依頼を行う購入依頼手段と、前記購入予約手段による処理により、商品が購入予約状態となった後に発生する各イベントに応じて、商品の購入に係る商品購入画面を表示装置に表示させる表示手段と、を有することを特徴とする。
【００１０】
また、本発明の商品購入制御方法は、番組に関連する商品の購入要求に応じて、購入依頼を行う購入依頼ステップと、前記購入依頼ステップにおける商品の購入依頼が未完了の状態において発生する各イベントに応じて、商品の購入に係る商品購入画面を表示装置に表示させる表示ステップと、を有することを特徴とする。
【００１１】
また、本発明の商品購入制御方法は、番組に関連する商品の購入要求に応じて、前記商品の購入予約を行う購入予約ステップと、前記商品に係る購入依頼を行う購入依頼ステップと、前記購入予約ステップによる処理により、商品が購入予約状態となった後に発生する各イベントに応じて、商品の購入に係る商品購入画面を表示装置に表示させる表示ステップと、を有することを特徴とする。
【発明の効果】
【００１２】
本発明によれば、購入依頼が途中の状態においても、購入依頼を妨げられずに継続することができる。
【発明を実施するための最良の形態】
【００１３】
以下、本発明の実施形態について図面に基づいて説明する。
【００１４】
図１は、受信装置のハードウェア構成の一例を示す図である。表示装置１４は、後述する画面を表示するモニタである。表示装置１４は、後述する各実施形態の表示装置２１０又は表示装置１０１０等に対応する。なお、後述する実施形態に示すように表示装置１４は、ハードウェア構成の一つとして受信装置に含まれてもよいし、受信装置の外部に、受信装置と通信可能に接続される構成であってもよい。
【００１５】
ＲＯＭ１０は、受信装置の各種制御のためのプログラム及び搭載されたアプリケーションのプログラム及び各種データを格納する。ＲＡＭ１１は、受信装置の各種制御のためのプログラム及び搭載されたアプリケーションのプログラム及び各種データを格納し、更に、アプリケーション（又は各種プログラム）を動作させるためのワークエリアとなる。
【００１６】
ＣＰＵ１２は、受信装置の各種制御及びアプリケーション（又はプログラム）を実行する。ＨＤＤ１３は、後述する受信アンテナ等により放送局より受信したデータをユーザーからの要求に応じて記録する。なお、ＣＰＵ１２が、アプリケーション（又はプログラム）を実行することにより、後述する各実施形態に示される受信装置の各機能が実現される。
【００１７】
但し、後述する各実施形態に示される受信装置の機能の一部をハードウェアとして受信装置に実装してもよい。また、後述する放送局や、購入申し込み先のハードウェア構成は、一部の構成が含まれなかったり、一部の構成が追加されたりするものの、基本的に受信装置のハードウェア構成と同様である。
【００１８】
＜実施形態１＞
図２は、実施形態１における受信装置に関する商品購入に係るシステムのシステム構成の一例を示す図である。
【００１９】
図２に示されるように、放送局１００は、機能構成として、番組生成部１０１と、接続データ生成部１０２と、多重送信部１０３とを含む。
【００２０】
番組生成部１０１は、ニュース、ドラマ、音楽、スポーツ、映画及びショッピング等の番組の画像、音声のストリームデータを生成する。接続データ生成部１０２は、番組データを保管する文字情報、解説情報等の番組に関連するデータを生成する。多重送信部１０３は、番組生成部１０１と、接続データ生成部１０２とにおいて生成されたデータをデジタルテレビトランスポート・ストリーム構造に従い多重化し、伝送信号を生成する。
【００２１】
また、送信アンテナ１０４は、多重送信部１０３が生成した信号をデジタルテレビ信号として送信する。
【００２２】
この放送局１００において、ショッピング番組を制作し、送信する場合は、番組生成部１０１において、商品紹介するための商品の外観、性能、使用例及び価格等の商品紹介用のコンテンツを作成する。そして、接続データ生成部１０２では、該当商品のより詳細な情報をデータ化する。前記詳細な情報の中には、商品の価格、メーカー名、発売日時、外観形状寸法や性能等の仕様条件、外観画像又は図面等の商品画像、確約方法と条件、支払方法と条件及び保証修理の条件等が含まれる。
【００２３】
また、図２に示されるように、受信装置２００は、機能構成として、受信部２０２と、データストリーム分離部２０３と、記録領域２０４と、通信制御部２０５と、番組復号化部２０６と、画像合成部２０７と、表示部２０８とを含む。また、受信装置２００は、更に、ユーザーインターフェース部（以下、ユーザーＩ／Ｆ部という）２０９と、電源管理部２１３と、予約管理部２１４とを機能構成として含む。
【００２４】
受信アンテナ２０１は、放送局１００から伝送されたデジタルテレビ信号を受信する。受信部２０２は、受信アンテナ２２が受信したデジタルテレビ信号からユーザーが所望する放送チャンネルを選局し、復調する。データストリーム分離部２０３は、受信部２０２で選局、復調したチャンネルのデジタルトランスポート・ストリーム信号のデータストリームから番組データと、保存データとを分離し、出力する。
【００２５】
番組復号化部２０６は、データストリーム分離部２０３で分離された番組データをデコードする。表示部２０８は、番組復号化部２０６でデコードされた信号を基に映像と、音声と表示装置２１０へ出力する。表示装置２１０は、表示部２０８より入力された映像と、音声とを表示する。
【００２６】
また、記録領域２０４は、データストリーム分離部２０３により分離された保存データを記録する。なお、記録領域２０４は、例えば、図１に示したＲＡＭ１１及び／又はＨＤＤ１３等に対応する。データデコード部２１２は、記録領域２０４に保存されたデータをデコードする。画像合成部２０７は、データデコード部２１２によりデコードされたデータをデータストリームと合成する。
【００２７】
また、ユーザーＩ／Ｆ部２０９は、視聴者であるユーザーからの要求をリモコン２１１等から受信する。ユーザーＩ／Ｆ部２０９は、例えば、受信したチャンネル切り替え命令を受信部２０２に送信して受信するチャンネルを切り替えたり、記録領域２０４に対して保存されているデータの中で表示するものを選択したりする。また、ユーザーＩ／Ｆ部２０９は、外部ネットワークに対してアクセスするための通信制御部２０５に対して、ネットワーク３１０にデータを送信する要求を送る等の制御を行う。また、通信制御部２０５では通信した結果を記録領域２０４に送り、表示部２０８を介して、最終的に表示装置２１０に反映させることを行う。
【００２８】
電源管理部２１３は、受信装置２００全体の電源を管理する。電源管理部２１３は、例えば、ユーザーＩ／Ｆ部２０９からの要求により電源のＯＮ／ＯＦＦを行う。予約管理部２１４は、視聴予約を管理する管理部である。予約管理部２１４は、ユーザーＩ／Ｆ部２０９により予約時刻及びチャンネル番号情報が送られ、設定された時間になると、ユーザーＩ／Ｆ部２０９を介して受信部２０２に対してチャンネル変更要求を実行する。
【００２９】
ここで、ネットワーク３１０には、インターネット及び電話回線（公衆回線）等が含まれ、特に限定されるものではない。また、購入申し込み先３００は、ネットワーク３１０を介して受信装置２００より送られてきた購入依頼情報を基に、購入を受け付ける。
【００３０】
図３は、実施形態１における商品購入に係る一連の処理の一例を示すフローチャートである。
ステップＳ２００において、放送局１００からショッピング番組の画像・音声データと、これに付随する接続データとが送信される。
【００３１】
ステップＳ２０１において、受信アンテナ２０１は、放送局１００から送られてくるショッピング番組の画像・音声データと、これに付随する接続データとを受信する。
【００３２】
ステップＳ２０２において、受信部２０２は、予め設定されているショッピング番組のチャンネルのデータを、データストリーム分離部２０３に送る。データストリーム分離部２０３は、ショッピング番組の画像・音声データを分離する。分離されたショッピング番組の画像・音声データは、番組復号化部２０６、画像合成部２０７、表示部２０８を経由して、表示装置２１０に表示される。
【００３３】
ここで、ステップＳ２０３において、受信装置２００（又はＣＰＵ１２）は、購入商品があるか否かを判定する。受信装置２００は、例えば、ユーザーからの商品購入要求が、リモコン２１１からユーザーＩ／Ｆ部２０９に送られてきた場合には、購入商品があると判定し、ステップＳ２０４に進む。一方、受信装置２００は、例えば、ユーザーからの商品購入要求が、リモコン２１１からユーザーＩ／Ｆ部２０９に送られてこない場合には、購入商品はないと判定し、図３に示す処理を終了し、表示装置２１０にショッピング番組を表示し続ける。
【００３４】
ステップＳ２０４において、通信制御部２０５は、ユーザーＩ／Ｆ部２０９からの通信開始要求を受信し、記録領域２０４から購入申し込み先３００のアドレス情報（例えばＵＲＬ等）を取得する。
【００３５】
ステップＳ２０５において、通信制御部２０５は、ステップＳ２０４において取得したアドレス情報に基づいて、購入申し込み先３００とネットワーク接続し、購入申し込み先３００から購入画面をダウンロードする。
【００３６】
ステップＳ２０６において、ダウンロードされた購入画面は、通信制御部２０５、記録領域２０４、データデコード部２１２、画像合成部２０７、表示部２０８を介して、表示装置２１０に表示される。図４は、実施形態１における購入画面の一例を示す図である。図４に示されるように、表示装置２１０には、ショッピング番組等の番組の映像を表示する映像表示部４０３と、購入画面中の中止ボタン４０１と、購入ボタン４０２とが表示されている。なお、以下では、表示装置２１０に表示されている商品の購入に係る画面中、映像表示部以外の部分を購入画面という。但し、映像表示部を含めて購入画面としてもよい。
【００３７】
ここで、ステップＳ２０７において、受信装置２００は、イベントが発生したか否かを判定する。受信装置２００は、イベントが発生したと判定すると、ステップＳ２１０に進み、イベント処理を実行する。ステップＳ２１０におけるイベント処理の詳細は、後述する図５に示す。一方、受信装置２００は、イベントが発生しなかったと判定すると、ステップＳ２０８に進む。
【００３８】
ステップＳ２０８において、受信装置２００は、ユーザーによって、リモコン２１１を用いて購入ボタン４０２を選択されると、購入要求を受け付けて、ネットワーク３１０を介して購入申し込み先に対して購入依頼を送信する。なお、購入依頼には、後述するような購入依頼情報が含まれているものとする。
【００３９】
また、ステップＳ２０９において、受信装置２００は、購入申し込み先３００から購入受け付け完了の通知を受信した際には、表示装置２１０に購入完了の表示を行う。
【００４０】
図５は、実施形態１におけるイベント処理の一例を示すフローチャートである。
ステップＳ３００において、受信装置２００は、発生したイベントの種類を判別する。イベントが、リモコン２１１からの電源ＯＦＦ要求であった場合は、受信装置２００は、ステップＳ３０１に進む。
【００４１】
ステップＳ３０１において、受信装置２００は、表示装置２１０に図６に示すような電源ＯＦＦを本当に実行するかどうかの警告（図６中の５００）を表示する。ここで、図６は、実施形態１における電源ＯＦＦのイベントが発生した場合の購入画面の一例を示す図である。
【００４２】
ここで、ユーザーにより電源ＯＦＦボタン５０１がリモコン２１１を用いて選択されると、ステップＳ３０３において、ユーザーＩ／Ｆ部２０９は、電源管理部２１３に電源ＯＦＦを通知して、受信装置２００の電源をＯＦＦする。一方、ユーザーにより購入ボタン５０２がリモコン２１１を用いて選択されると、ユーザーＩ／Ｆ部２０９は、ステップＳ３１０において、購入要求を受け付け、ネットワーク３１０を介して購入申し込み先３００に対して購入依頼を実行（送信）する。また、購入申し込み先３００から購入受付け完了の通知を受信した際には、ステップＳ３１１において、受信装置２００は、表示装置２１０に購入完了の表示を行う。
【００４３】
また、ステップＳ３００の判別の結果、イベントが、予約管理部２１４における、視聴予約の実行であった場合は、受信装置２００は、ステップＳ３０４に進む。
【００４４】
ステップＳ３０４において、受信装置２００は、受信部２０２において予約されていたチャンネル番号に変更する。そして、ステップＳ３０５において、受信装置２００は、表示装置２１０に図７に示すような視聴予約のためチャンネルを変更する旨の情報（図７中の６０１）を表示する。ここで、図７は、実施形態１における視聴予約のイベントが発生した場合の購入画面の一例を示す図である。
【００４５】
図７に示されるように、映像表示部６００には、視聴予約されていた番組の映像が表示される。また、番組に関連した商品等の購入に係る情報等を表示する購入画面（購入領域）には、元の番組に関連した商品に係る情報と共に、視聴予約のためチャンネルを変更する旨の情報６０１が表示される。
【００４６】
ここで、ユーザーにより中止ボタン６０２がリモコン２１１を用いて選択されると、ステップＳ３１３において、受信装置２００は、購入画面の代わりに、現在、映像表示部６００に表示されている番組に関係するデジタルデータを表示する。一方、ユーザーにより購入ボタン６０３がリモコン２１１を用いて選択されると、ユーザーＩ／Ｆ部２０９は、ステップＳ３１０において、購入要求を受け付け、ネットワーク３１０を介して購入申し込み先３００に対して購入依頼を実行（送信）する。また、購入申し込み先３００から購入受付け完了の通知を受信した際には、ステップＳ３１１において、受信装置２００は、表示装置２１０に購入完了の表示を行う。
【００４７】
また、ステップＳ３００の判別の結果、イベントが、リモコン２１１からのチャンネル切り替え要求であった場合は、受信装置２００は、ステップＳ３０６に進む。
【００４８】
ステップＳ３０６において、受信装置２００は、受信部２０２において、リモコン２１１からのチャンネル切り替え要求に応じたチャンネルに設定を変更する。そして、ステップＳ３０７において、受信装置２００は、表示装置２１０に図８に示すようなチャンネルが変更された旨の情報（図８中の７０１）を表示する。ここで、図８は、実施形態１におけるチャンネル切り替えのイベントが発生した場合の購入画面の一例を示す図である。
【００４９】
図８に示されるように、映像表示部７００には、切り替えられた番組の映像が表示される。また、番組に関連した商品等の購入に係る情報等を表示する購入画面（購入領域）には、元の番組に関連した商品に係る情報と共に、チャンネルが変更された旨の情報７０１が表示される。
【００５０】
ここで、ユーザーにより中止ボタン７０２がリモコン２１１を用いて選択されると、ステップＳ３１３において、受信装置２００は、購入画面の代わりに、現在、映像表示部６００に表示されている番組に関係するデジタルデータを表示する。一方、ユーザーにより購入ボタン７０３がリモコン２１１を用いて選択されると、ユーザーＩ／Ｆ部２０９は、ステップＳ３１０において、購入要求を受け付け、ネットワーク３１０を介して購入申し込み先３００に対して購入依頼を実行（送信）する。また、購入申し込み先３００から購入受付け完了の通知を受信した際には、ステップＳ３１１において、受信装置２００は、表示装置２１０に購入完了の表示を行う。
【００５１】
また、ステップＳ３００の判別の結果、イベントが、リモコン２１１からの外部入力切り替え要求であった場合は、受信装置２００は、ステップＳ３０８に進む。
【００５２】
ステップＳ３０８において、受信装置２００は、リモコン２１１からの外部入力切り替え要求に応じて、外部入力を切り替える。そして、ステップＳ３０９において、受信装置２００は、表示装置２１０に図９に示すような入力が切り替わった旨の情報（図９中の８０１）を表示する。ここで、図９は、実施形態１における外部入力切り替えのイベントが発生した場合の購入画面の一例を示す図である。
【００５３】
図９に示されるように、映像表示部８００には、切り替えられた外部入力の映像等が表示される。また、番組に関連した商品等の購入に係る情報等を表示する購入画面（購入領域）には、元の番組に関連した商品に係る情報と共に、入力が切り替わった旨の情報８０１が表示される。
【００５４】
ここで、ユーザーにより中止ボタン８０２がリモコン２１１を用いて選択されると、ステップＳ３１３において、受信装置２００は、デジタルデータの表示を止めて、映像表示部８００を画面いっぱいに表示する。一方、ユーザーにより購入ボタン８０３がリモコン２１１を用いて選択されると、ユーザーＩ／Ｆ部２０９は、ステップＳ３１０において、購入要求を受け付け、ネットワーク３１０を介して購入申し込み先３００に対して購入依頼を実行（送信）する。また、購入申し込み先３００から購入受付け完了の通知を受信した際には、ステップＳ３１１において、受信装置２００は、表示装置２１０に購入完了の表示を行う。
【００５５】
以上、上述したように、本実施形態によれば、購入依頼が途中の状態で電源ＯＦＦや、視聴予約によるチャンネル切り替え、リモコン等によるチャンネル切り替え、外部入力の切り替え等が起こっても、ユーザーは購入依頼を妨げられずに継続することができる。
【００５６】
＜実施形態２＞
実施形態１では、受信装置と、購入申し込み先とが直接ネットワークで接続されている実施形態であり、購入依頼したものを、そのまま購入する実施形態であった。一方、実施形態２では、ケーブルテレビ等の双方向ネットワークを使用して、放送局と、受信装置とを直接接続し、データの送受信を行う例を説明する。また、本実施形態の受信装置は、購入要求を受けてから直ぐに購入依頼するのではなく、購入予約リストとして一時的に保持してから購入依頼を実行するものとする。
【００５７】
図１０は、実施形態２における受信装置に関する商品購入に係るシステムのシステム構成の一例を示す図である。
図１０に示されるように、放送局９００は、機能構成として、番組生成部９０１と、接続データ生成部９０２と、多重化送信部９０３と、通信部９０５とを含む。
【００５８】
番組生成部９０１は、ニュース、ドラマ、音楽、スポーツ、映画及びショッピング等の番組の画像、音声のストリームデータを生成する。接続データ生成部９０２は、番組データを保管する文字情報、解説情報等の番組に関連するデータを生成する。多重送信部９０３は、番組生成部９０１と、接続データ生成部９０２とにおいて生成されたデータをデジタルテレビトランスポート・ストリーム構造に従い多重化し、伝送信号を生成する。
【００５９】
また、ＣＡＴＶケーブル９０４は、多重送信部９０３が生成した信号を送信する。
この放送局９００において、ショッピング番組を制作し、送信する場合は、番組生成部９０１において、商品紹介するための商品の外観、性能、使用例及び価格等の商品紹介用のコンテンツを作成する。そして、接続データ生成部９０２では、該当商品のより詳細な情報をデータ化する。前記詳細な情報の中には、商品の価格、メーカー名、発売日時、外観形状寸法や性能等の仕様条件、外観画像又は図面等の商品画像、確約方法と条件、支払方法と条件及び保証修理の条件等が含まれる。
【００６０】
通信部９０５は、ＣＡＴＶケーブル９０４を介して受信装置１０００から送信されてくる要求を受信し、購入申し込み先９１０に対して、購入依頼を実行する。購買依頼をした結果、購入受付けが完了した場合、通信部９０５は、接続データ生成部９０２へ購入受付け完了データの生成要求を送る。要求を受けた接続データ生成部９０２は、データを生成し、多重化送信部９０３を介して、受信装置１０００に送る。
【００６１】
また、図１０に示されるように、受信装置１０００は、機能構成として、受信部１００２と、データストリーム分離部１００３と、記録領域１００４と、送信部１００５と、番組復号化部１００６と、画像合成部１００７と、表示部１００８とを含む。また、受信装置１０００は、更に、ユーザーＩ／Ｆ部１００９と、電源管理部１０１３と、予約管理部１０１４とを機能構成として含む。
【００６２】
受信部１００２は、放送局９００から伝送された信号を、ＣＡＴＶケーブル９０４を介して受信し、この信号からユーザーが所望する放送チャネルを選局し、復調する。
【００６３】
番組復号化部１００６は、データストリーム分離部１００３で分離された番組データをデコードする。表示部１００８は、番組復号化部１００６でデコードされた信号を基に映像と、音声と表示装置１０１０へ出力する。表示装置１０１０は、表示部１００８より入力された映像と、音声とを表示する。
【００６４】
また、記録領域１００４は、データストリーム分離部１００３により分離された保存データを記録する。なお、記録領域１００４は、例えば、図１に示したＲＡＭ１１及び／又はＨＤＤ１３等に対応する。データデコード部１０１２は、記録領域１００４に保存されたデータをデコードする。画像合成部１００７は、データデコード部１０１２によりデコードされたデータをデータストリームと合成する。
【００６５】
また、ユーザーＩ／Ｆ部１００９は、視聴者であるユーザーからの要求をリモコン１０１１等から受信する。ユーザーＩ／Ｆ部１００９は、例えば、受信したチャンネル切り替え命令を受信部１００２に送信して受信するチャンネルを切り替えたり、記録領域１００４に対して保存されているデータの中で表示するものを選択したりする。また、ユーザーＩ／Ｆ部１００９は、外部ネットワークに対してアクセスするための送信部１００５に対して、ＣＡＴＶケーブル９０４にデータを送信する要求を送る等の制御を行う。また、送信部１００５では通信した結果を記録領域１００４に送り、表示部１００８を介して、最終的に表示装置１０１０に反映させることを行う。
【００６６】
電源管理部１０１３は、受信装置１０００全体の電源を管理する。電源管理部１０１３は、例えば、ユーザーＩ／Ｆ部１００９からの要求により電源のＯＮ／ＯＦＦを行う。予約管理部１０１４は、視聴予約を管理する管理部である。予約管理部１０１４は、ユーザーＩ／Ｆ部１００９により予約時刻及びチャンネル番号情報が送られ、設定された時間になると、ユーザーＩ／Ｆ部１００９を介して受信部１００２に対してチャンネル変更要求を実行する。
【００６７】
図１１は、実施形態２における商品購入に係る一覧の処理の一例を示すフローチャートである。
【００６８】
ステップＳ１０００において、放送局９００からショッピング番組の画像・音声データと、これに付随する接続データとが送信される。
【００６９】
ステップＳ１００１において、受信部１００２は、放送局９００から送られてくるショッピング番組の画像・音声データと、これに付随する接続データとを受信する。
【００７０】
ステップＳ１００２において、受信部１００２は、予め設定されているショッピング番組のチャンネルのデータを、データストリーム分離部１００３に送る。データストリーム分離部１００３は、ショッピング番組の画像・音声データを分離する。分離されたショッピング番組の画像・音声データは、番組復号化部１００６、画像合成部１００７、表示部１００８を経由して、表示装置１０１０に表示される。
【００７１】
ここで、ステップＳ１００３において、受信装置１０００（又はＣＰＵ１２）は、購入商品があるか否かを判定する。受信装置１０００は、例えば、ユーザーからの商品購入要求が、リモコン１０１１からユーザーＩ／Ｆ部１００９に送られた場合には、購入商品があると判定し、ステップＳ１００４に進む。一方、受信装置１０００は、例えば、ユーザーからの商品購入要求が、リモコン１０１１からユーザーＩ／Ｆ部１００９に送られてこない場合には、購入商品はないと判定し、図１１に示す処理を終了し、表示装置１０１０にショッピング番組を表示し続ける。
【００７２】
ステップＳ１００４において、受信装置１０００は、購入画面を表示装置１０１０に表示する。なお、例えば、受信装置１０００は、放送局９００を介して、購入申し込み先９１０より、購入画面に係るデータを取得し、このデータに基づき、購入画面を表示装置１０１０に表示する。
【００７３】
図１２は、実施形態２における購入画面の一例を示す図である。図１２に示されるように、表示装置１０１０には、ショッピング番組等の番組の映像を表示する映像表示部１２０１と、購入画面中のキャンセルボタン１２０２と、購入予約ボタン１２０３と、ショッピング情報表示部１２０４とが表示されている。
【００７４】
ユーザーはリモコン１０１１を操作して、ショッピング情報表示部１２０４から購入する商品を選択し、購入予約ボタン１２０３を押すことにより購入予約を行うことができる。ステップＳ１００５において、受信装置１０００は、購入予約を受け付ける。購入予約に係る予約情報は、予約管理部１０１４において、蓄積、管理される。
【００７５】
購入予約が実行されて、何らかのイベントが発生した場合の処理の一例を、図１３を用いて説明する。図１３は、実施形態２におけるイベント処理の一例を示すフローチャートである。
【００７６】
ステップＳ１１００において、受信装置１０００は、発生したイベントの種類を判別する。イベントが、リモコン１０１１からの電源ＯＦＦ要求であった場合は、ユーザーＩ／Ｆ部１００９は、現在購入予約している情報があるかどうかを予約管理部１０１４に対して問い合わせる。購入予約がある場合は、予約管理部１０１４より購入予約されている商品情報（価格、商品名、販売メーカー等の情報）がユーザーＩ／Ｆ部１００９に送られる。
【００７７】
ステップＳ１１０１において、受信装置１０００は、購入予約されている商品情報と、電源ＯＦＦ要求とを記録領域１００４におくり、データデコード部１０１２、画像合成部１００６、表示部１００８を介して加工されたデータを表示装置１０１０に表示する。図１４は、実施形態２における電源ＯＦＦイベントが発生した場合の購入画面の一例を示す図である。
【００７８】
図１４に示されるように、電源ＯＦＦイベントが発生した場合の購入画面の映像表示部１３０１には、ショッピング番組等の番組の映像がそのまま表示されている。また、電源ＯＦＦイベントが発生した場合の購入画面には、買い物が未終了であるが電源をＯＦＦしてよいかを確認する確認メッセージ１３０２と、電源ＯＦＦボタン１３０３と、購入品を削除する削除ボタン１３０４とが含まれる。更に、購入画面には、電源ＯＦＦイベントが発生した場合の購入画面には、購入予約リストの商品の購入ボタン１３０５と、購入予約リストの表示１３０６と、が含まれる。なお、ここで、購入予約リストとは、予約管理部１０１４において管理されている予約情報のリストのことである。
【００７９】
購入予約リスト１３０６から削除したい商品がある場合には、ユーザーは、リモコン１０１１を用いて、購入予約リストから削除したい商品を選択して、削除ボタン１３０４を選択することによって削除する。また、購入したい場合には、ユーザーは、リモコン１０１１を用いて、購入ボタン１３０５を選択する。また、購入せず電源をＯＦＦしたい場合には、ユーザーは、リモコン１０１１を用いて、電源ＯＦＦボタン１３０３を選択する。
【００８０】
ここで、電源ＯＦＦボタン１３０３が押された（選択された）場合には、ステップＳ１１０３において、ユーザーＩ／Ｆ部１００９から電源ＯＦＦ実行命令が電源管理部１０１３に送られて電源がＯＦＦされる。なお、この際、受信装置１０００は、予約管理部１０１４に蓄積しておいた購入予約リスト情報を保持しておく。
【００８１】
一方、ステップＳ１１０２において、購入ボタン１３０５が押された場合には、ステップＳ１１０８に進み、受信装置１０００は、購入要求を受けつける。そして、受信装置１０００は、送信部１００５からＣＡＴＶケーブル９０４を介して、放送局９００の通信部９０５に対して購入依頼情報を送る。ここで、購入依頼情報には、購入者の住所、氏名、電話番号、購入商品名（又は購入コード）、購入価格、購入個数情報、支払い方法、購入申し込み先等の情報が含まれる。
【００８２】
購入依頼情報を受信した通信部９０５は、指定された購入申し込み先９１０に対して購入依頼を実施し、購入受付けのレスポンス情報を受け取り、接続データ生成部９０４を介して受信装置１０００に購入受付け完了の情報を送信する。
【００８３】
ステップＳ１１０９において、送信された購入受付けのレスポンス情報を受けた受信部１００２は、記録領域１００４を介して表示装置１０１０に購入完了の表示を行う。一方、ステップＳ１１０６において、全ての購入予約リストが削除された場合には、Ｓ１１０７において、受信装置１０００は、購入画面より購入予約リストを消して、映像表示部１３０１を表示装置１０１０の画面いっぱいに表示する。
【００８４】
また、ステップＳ１１００の判別の結果、イベントが、予約管理部１０１４における、視聴予約の実行であった場合は、受信装置１０００は、ステップＳ１１０４に進む。なお、予めユーザーにより視聴予約された番組の開始日時と、チャンネル番号とが予約管理部１０１４に記録、管理されているものとする。
【００８５】
ステップＳ１１０４において、予約管理部１０１４は、視聴予約に基づくチャンネル切り替え命令を受信部１００２に対して送信し、受信部１００２では要求されたチャンネルに設定を切り替える。すると、切り替わったチャンネルの番組がデータストリーム分離部１００３に送信され、番組復号化部１００６を介して表示装置１０１０に表示される。
【００８６】
ステップＳ１１０５において、予約管理部１０１４は、現在購入予約されている商品が存在する場合には、購入画面の表示要求をユーザーＩ／Ｆ部１００９に送る。ユーザーＩ／Ｆ部１００９は、送られた命令に従い、記録領域１００４を介して表示装置１０１０に図１５に示すような画面を表示する。図１５は、実施形態２における視聴予約のイベントが発生した場合の購入画面の一例を示す図である。
【００８７】
図１５に示されるように、映像表示部１４００には、視聴予約されていた番組の映像が表示される。また、視聴予約のイベントが発生した場合の購入画面には、視聴予約のため番組が切り替わった旨の情報１４０１と、現在購入予約していた購入予約リスト１４０４と、購入予約リストの商品から指定した商品を削除するための削除ボタン１４０２とが含まれる。更に、購入画面には、購入予約リストに表示されている商品を購入するための購入ボタン１４０３と、購入依頼を中止して何も実行しないための中止ボタン１４０５とが含まれる。
【００８８】
ステップＳ１１０６において、購入依頼を実行された場合には、電源ＯＦＦの場合と同様に、受信装置１０００は、ステップＳ１１０８において購入要求を放送局９００に送る。そして、ステップＳ１１０９において、受信装置１０００は、表示装置１０１０に購入完了の表示を行う。
【００８９】
また、中止ボタン１４０５が選択された場合、又は削除ボタン１４０２で全ての購入予約リストが削除された場合、受信装置１０００は、ステップＳ１１０７において購入予約リストの表示を消す。そして、受信装置１０００は、映像表示部１４００を表示装置１０１０の画面いっぱいに表示する。
【００９０】
また、ステップＳ１１００の判別の結果、イベントが、リモコン１０１１からのチャンネル切り替え要求であった場合は、受信装置１０００は、ステップＳ１１１０に進む。
【００９１】
ステップＳ１１１０において、ユーザーＩ／Ｆ部１００９を介して、チャンネル切り替え要求を受け取った受信部１００２は、要求されたチャンネルに設定を切り替え、このチャンネルのデータを受信し、データストリーム分離部１００３に送る。そして、切り替わったチャンネルの番組は、受信部１００２、データストリーム分離部１００３、番組復号化部１００６を介して表示装置１０１０に表示される。
【００９２】
ここで、ユーザーＩ／Ｆ部１００９は、現在予約情報があるかどうか、予約管理部１０１４に問合せを行い、現在購入予約された商品が存在する場合には、購入画面の表示要求を予約管理部１０１４から受信する。ステップＳ１１０５において、ユーザーＩ／Ｆ部１００９は、受信した購入画面の表示要求に含まれる商品情報に従い、記録領域１００４を介して、表示装置１０１０に図１６に示すような画面を表示する。図１６は、実施形態２におけるチャンネル切り替えのイベントが発生した場合の購入画面の一例を示す図である。
【００９３】
図１６に示されるように、映像表示部１５００には、ユーザーによって切り替えられた番組の映像が表示される。また、チャンネル切り替えのイベントが発生した場合の購入画面には、番組が切り替わった旨の情報１５０１と、現在購入予約していた購入予約リスト１５０４と、購入予約リストの商品から指定した商品を削除するための削除ボタン１５０２とが含まれる。更に、購入画面には、購入予約リストに表示されている商品を購入するための購入ボタン１５０３と、購入依頼を中止して何も実行しないための中止ボタン１５０５とが含まれる。
【００９４】
ステップＳ１１０６において、購入依頼を実行された場合には、受信装置１０００は、ステップＳ１１０８において購入要求を放送局９００に送る。そして、ステップＳ１１０９において、受信装置１０００は、表示装置１０１０に購入完了の表示を行う。
【００９５】
また、中止ボタン１５０５が選択された場合、又は削除ボタン１５０２で全てのボタン購入予約リストが削除された場合、受信装置１０００は、ステップＳ１１０７において購入予約リストの表示を消す。そして、受信装置１０００は、映像表示部１５００を表示装置１０１０の画面いっぱいに表示する。
【００９６】
また、ステップＳ１１００の判別の結果、イベントが、リモコン１０１１からの外部入力切り替え要求であった場合は、受信装置１０００は、ステップＳ１１１１に進む。
【００９７】
ステップＳ１１１１において、受信装置１０００は、リモコン１０１１からの外部入力切り替え要求に応じて、外部入力を切り替える。
【００９８】
ここで、ユーザーＩ／Ｆ部１００９は、現在予約情報があるかどうか、予約管理部１０１４に問合せを行い、現在購入予約された商品が存在する場合には、購入画面の表示要求を予約管理部１０１４から受信する。ステップＳ１１０５において、ユーザーＩ／Ｆ部１００９は、受信した購入画面の表示要求に含まれる商品情報に従い、記録領域１００４を介して、表示装置１０１０に図１７に示すような画面を表示する。図１７は、実施形態２における外部入力切り替えのイベントが発生した場合の購入画面の一例を示す図である。
【００９９】
図１７に示されるように、映像表示部１６００には、切り替えられた外部入力の映像等が表示される。また、外部入力切り替えのイベントが発生した場合の購入画面には、外部入力に切り替わった旨の情報１６０１と、現在購入予約していた購入予約リスト１６０４と、購入予約リストの商品から指定した商品を削除するための削除ボタン１６０２とが含まれる。更に、購入画面には、購入予約リストに表示されている商品を購入するための購入ボタン１６０３と、購入依頼を中止して何も実行しないための中止ボタン１６０５とが含まれる。
【０１００】
ステップＳ１１０６において、購入依頼を実行された場合には、受信装置１０００は、ステップＳ１１０８において購入要求を放送局９００に送る。そして、ステップＳ１１０９において、受信装置１０００は、表示装置１０１０に購入完了の表示を行う。
【０１０１】
また、中止ボタン１５０５が選択された場合、又は削除ボタン１６０２で全てのボタン購入予約リストが削除された場合、受信装置１０００は、ステップＳ１１０７において購入予約リストの表示を消す。そして、受信装置１０００は、映像表示部１６００を表示装置１０１０の画面いっぱいに表示する。
【０１０２】
ここで、ユーザーが購買予約をした商品に関する番組を見つづけて番組が終了した場合の、受信装置１０００の処理の一例を、図１８を用いて説明する。図１８は、番組終了に係る処理の一例を示すフローチャートである。
【０１０３】
ステップＳ１７００において、受信装置１０００は、ユーザーによる番組中の商品の購買依頼を受け付ける。予約管理部１０１４には、この商品に係る予約情報が保存される。ここで予約管理部１０１４は、各放送局の番組の放送時間やタイトルリストも管理している。したがって、ステップＳ１７０１において、予約管理部１０１４は、予約された商品に係る番組の番組終了時刻を設定する。
【０１０４】
続いて、ステップＳ１７０２において、予約管理部１０１４は、前記番組の番組終了時刻になったか否かを判定する。前記番組の番組終了時刻になったと判定すると、ステップＳ１７０３において、予約管理部１０１４は、ユーザーＩ／Ｆ部１００９に対して購入画面の表示要求を送る。
【０１０５】
ここで、図１３を用いて説明する。購入画面の表示要求を受けたユーザーＩ／Ｆ部１００９は、記録領域１００４を介して表示装置１０１０に図１９に示すような購入画面を表示する（Ｓ１１０５）。図１９は、番組終了を検出した場合の購入画面の一例を示す図である。図１９に示されるように、映像表示部１８００には、現在設定されている番組の映像が表示されている。また、番組終了を検出した場合の購入画面には、予約管理部１０１４に蓄積されていた今月の合計購入金額１８０１と、現在購入予約していた購入予約リスト１８０４と、購入予約リストの商品から指定した商品を削除するための削除ボタン１８０２とが含まれる。更に、購入画面には、購入予約リストに表示されている商品を購入するための購入ボタン１８０３と、購入依頼を中止して何も実行しないための中止ボタン１８０５とが含まれる。
【０１０６】
ステップＳ１１０６において、購入依頼を実行された場合には、受信装置１０００は、ステップＳ１１０８において購入要求を放送局９００に送る。そして、ステップＳ１１０９において、受信装置１０００は、表示装置１０１０に購入完了の表示を行う。
【０１０７】
また、中止ボタン１５０５が選択された場合、又は削除ボタン１６０２で全ての購入予約リストが削除された場合、受信装置１０００は、ステップＳ１１０７において購入予約リストの表示を消す。そして、受信装置１０００は、映像表示部１８００を表示装置１０１０の画面いっぱいに表示する。
【０１０８】
ここで購買予約をした商品に販売個数が決まっている場合の、受信装置１０００の処理の一例を、図２０を用いて説明する。図２０は、商品の残個数に係る処理の一例を示すフローチャートである。
【０１０９】
ステップＳ１９００において、受信装置１０００は、ユーザーによる番組中の商品の購買依頼を受け付ける。予約管理部１０１４には、この商品に係る予約情報が保存される。ここで、ステップＳ１９０１において、予約管理部１０１４は、放送局９００から送られてくる所定のフォーマットに従った商品情報の中に個数情報があるか否かに基づいて、個数設定があるか否かを判断する。
【０１１０】
個数設定があると判断すると、ステップＳ１９０２において、予約管理部１０１４は、ある一定以上の個数より少なくなったときに警告を表示するための、警告表示商品個数の設定を行う。なお、この警告表示商品個数の設定は予めユーザーにより設定されていていてもよく、ユーザーに設定されている場合、受信装置１０００は、ユーザーの設定を優先する。
【０１１１】
続いて、ステップＳ１９０３において、受信部１００２は、放送局９００から送られてくる商品残個数情報を受信する。受信部１００２において受信された商品残個数情報は、データストリーム分離部１００３、記録領域１００４、ユーザーＩ／Ｆ部１００９、を介して、予約管理部１０１４に転送される。
【０１１２】
ステップＳ１９０４において、予約管理部１０１４は、受信した商品残個数情報の商品残個数と、ステップＳ１９０２で設定した警告表示商品個数とを比較し、商品残個数が設定した個数を下回っていた場合、ステップＳ１９０５に進む。一方、商品残個数が設定した個数を下回っていなかった場合、受信装置１０００は、ステップＳ１９０３の処理に戻る。
【０１１３】
ステップＳ１９０５において、受信装置１０００は、図２１に示されるような画面を表示装置１０１０に表示する。図２１は、商品の残個数を検出した場合の購入画面の一例を示す図である。図２１に示されるように、映像表示部２０００には、現在設定されている番組の映像が表示されている。また、商品の残個数を検出した場合の購入画面には、購入予約した商品の残個数が僅かである旨の警告２００１と、購入依頼を中止して何も実行しないための中止ボタン２００５とが含まれる。更に、購入画面には、購入予約した商品を削除するための削除ボタン２００２と、購入予約した商品を購入するための購入ボタン２００３と、商品の名称、価格、残個数を表示する表示部２００４とが含まれる。
【０１１４】
ここで、図１３を用いて説明する。ステップＳ１１０６において、購入依頼を実行された場合には、受信装置１０００は、ステップＳ１１０８において購入要求を放送局９００に送る。そして、ステップＳ１１０９において、受信装置１０００は、表示装置１０１０に購入完了の表示を行う。
【０１１５】
また、中止ボタン１５０５が選択された場合、又は削除ボタン１６０２で全ての購入予約リストが削除された場合、受信装置１０００は、ステップＳ１１０７において購入予約リストの表示を消す。そして、受信装置１０００は、映像表示部２０００を表示装置１０１０の画面いっぱいに表示する。
【０１１６】
以上、上述したように、本実施形態によれば、ある程度まとめてから商品を購入する形態においても、購入依頼が途中の状態で、様々なイベントが起こっても、ユーザーは、購入依頼を妨げられずに継続することができる。ここで、様々なイベントとは、例えば、電源ＯＦＦや、視聴予約によるチャンネル切り替え、リモコン等によるチャンネル切り替え、外部入力の切り替え等である。
【０１１７】
また、本実施形態によれば、今月の商品の合計金額や、予約した商品の残個数等もユーザーに提供することができる。
【０１１８】
＜実施形態３＞
上述した実施形態では、受信装置で購入した商品の購入依頼が完了したことを証明する証明書の印刷に関しては言及していない。本実施形態では、受信装置で購入した商品の購入依頼が完了したことを証明する証明書を、印刷装置を用いて印刷する例を説明する。
【０１１９】
図２２は、実施形態３における受信装置に関する商品購入に係るシステムのシステム構成の一例を示す図である。
【０１２０】
図２２に示されるように、放送局１００は、機能構成として、番組生成部１０１と、接続データ生成部１０２と、多重送信部１０３とを含む。なお、放送局１００の各機能構成に係る機能等は、実施形態１において説明したものと同様であるため、ここでは説明を省略する。
【０１２１】
また、図２２に示されるように、受信装置２００は、機能構成として、受信部２０２と、データストリーム分離部２０３と、記録領域２０４と、通信制御部２０５と、番組復号化部２０６と、画像合成部２０７と、表示部２０８とを含む。また、受信装置２００は、更に、ユーザーインターフェース部２０９と、電源管理部２１３と、予約管理部２１４と、印刷制御部２１５とを機能構成として含む。なお、受信装置２００の各機能構成に係る機能等は、基本的に実施形態１において説明したものと同様であるため、以下では、実施形態１と異なる部分について説明する。
【０１２２】
ユーザーＩ／Ｆ部２０９は、視聴者であるユーザーからの要求をリモコン２１１等から受信する。ユーザーＩ／Ｆ部２０９は、例えば、受信したチャンネル切り替え命令を受信部２０２に送信して受信するチャンネルを切り替えたり、記録領域２０４に対して保存されているデータの中で表示するものを選択したりする。また、ユーザーＩ／Ｆ部２０９は、印刷制御部２１５に対して印刷命令を送信する等の制御を行う。また、ユーザーＩ／Ｆ部２０９は、外部ネットワークに対してアクセスするための通信制御部２０５に対して、ネットワーク３１０にデータを送信する要求を送る等の制御を行う。また、通信制御部２０５では通信した結果を記録領域２０４に送り、表示部２０８を介して、最終的に表示装置２１０に反映させることを行う。
【０１２３】
印刷制御部２１５は、外部インターフェース４０１を介して印刷装置４００と、受信装置２００と接続して、印刷情報や印刷実行命令の送受信を行う制御部である。
【０１２４】
印刷装置４００は、受信装置２００とは別の外部機器でもよいし、受信装置２００の内部に存在してもよい。本実施形態では、印刷装置４００は、受信装置２００とは別の外部機器として説明を行う。また、外部インターフェース４０１は、一般的に用いられている、ＵＳＢケーブルとし、ＵＳＢのサブクラスであるＰＴＰプロトコルにより印刷を制御するものとする。ＰＴＰプロトコルに関しては既知の技術であるのでここでは説明を省略する。
【０１２５】
また、図２２に示されるように、購入申し込み先３００は、機能構成として、通信部３０１と、受領情報生成部３０２とを含む。通信部３０１は、ネットワーク３１０を介して受信装置２００より送信された購入依頼情報を受信した、購入者の情報を確認した後、購入依頼情報を受領情報生成部３０２に送る。受領情報生成部３０２は、購入依頼情報に応じて、購入が受け付けられたことを保証するための受領情報を生成する。
【０１２６】
ここで受領情報には、購入商品名、バーコードや二次元バーコード、シリアル番号等の判別情報、購入日時、受領日時、購入申し込み先の住所・社名・連絡先、購入者の住所・氏名・連絡先等の情報が含まれている。また、セキュリィティを強化したい場合には、受領情報に電子透かし等の情報を付加するようにしてもよい。電子透かしに関しても、既知の技術なのでここでは説明を省略する。生成された受領情報は、通信部３０１と、ネットワーク３１０とを介して受信装置２００に送られる。
【０１２７】
図２３は、実施形態３における商品購入に係る一連の処理の一例を示すフローチャートである。
【０１２８】
ステップＳ２２００において、放送局１００からショッピング番組の画像・音声データと、これに付随する接続データとが送信される。
【０１２９】
ステップＳ２２０１において、受信アンテナ２０１は、放送局１００から送られてくるショッピング番組の画像・音声データと、これに付随する接続データとを受信する。
【０１３０】
ステップＳ２２０２において、受信部２０２は、予め設定されているショッピング番組のチャンネルのデータを、データストリーム分離部２０３に送る。データストリーム分離部２０３は、ショッピング番組の画像・音声データを分離する。分離されたショッピング番組の画像・音声データは、番組復号化部２０６、画像合成部２０７、表示部２０８を経由して、表示装置２１０に表示される。
【０１３１】
ここで、ステップＳ２２０３において、受信装置２００（又はＣＰＵ１２）は、購入商品があるか否かを判定する。受信装置２００は、例えば、ユーザーからの商品購入要求が、リモコン２１１からユーザーＩ／Ｆ部２０９に送られてきた場合には、購入商品があると判定し、ステップＳ２２０４に進む。一方、受信装置２００は、例えば、ユーザーからの商品購入要求が、リモコン２１１からユーザーＩ／Ｆ部２０９に送られてこない場合には、購入商品はないと判定し、図２３に示す処理を終了し、表示装置２１０にショッピング番組を表示し続ける。
【０１３２】
ステップＳ２２０４において、通信制御部２０５は、ユーザーＩ／Ｆ部２０９からの通信開始要求を受信し、記録領域２０４から購入申し込み先３００のアドレス（例えばＵＲＬ等）を取得する。
【０１３３】
ステップＳ２２０５において、通信制御部２０５は、ステップＳ２２０４において取得したアドレス情報に基づいて、購入申し込み先３００とネットワーク接続し、購入申し込み先３００から購入画面をダウンロードする。
【０１３４】
ステップＳ２２０６において、ダウンロードされた購入画面は、通信制御部２０５、記録領域２０４、データデコード部２１２、画像合成部２０７、表示部２０８を介して、表示装置２１０に表示される。図２４は、実施形態３における購入画面の一例を示す図である。図２４に示されるように、表示装置２１０には、ショッピング番組等の番組の映像を表示する映像表示部２３０３と、購入画面中の中止ボタン２３０１と、購入ボタン２３０２とが表示されている。
【０１３５】
ここで、ステップＳ２２０７において、受信装置２００は、ユーザーによって、リモコン２１１を用いて購入ボタン２３０２を選択されたか否かを判定する。受信装置２００は、ユーザーによって、リモコン２１１を用いて購入ボタン２３０２を選択されたと判定すると、ステップＳ２２０８に進み、印刷ジョブを実行する。ステップＳ２２０８における印刷ジョブ実行処理の詳細は、後述する図２６に示す。一方、受信装置２００は、ユーザーによって、リモコン２１１を用いて中止ボタン２３０１を選択されたと判定すると、図２３に示す処理を終了し、表示装置２１０にショッピング番組を表示し続ける。
【０１３６】
ここで、購入ボタン２３０２がユーザーによって押されると、ユーザーＩ／Ｆ部２０９から記録領域２０４を介して通信制御部２０５に購入イベントが送られる。そして、ネットワーク３１０を介して、受信装置２００から購入申し込み先３００へ購入イベント（購入依頼）が送られる。受信装置２００は、購入依頼を送信した後、ステップＳ２２０８の印刷ジョブの実行処理に遷移する。
【０１３７】
ここで、図２６の説明を行う前に、購入依頼を受信したときの購入申し込み先３００における、処理の一例を、図２５を用いて説明する。図２５は、購入申し込み先３００における処理の一例を示すフローチャートである。なお、受信装置２００から送られてきた購入依頼には、実施形態２において説明したような購入依頼情報が含まれているものとする。上述したように、購入依頼情報には、購入者の住所、氏名、電話番号、購入商品名（又は購入コード）、購入価格、購入個数情報、支払い方法等の情報が含まれているものとする。
【０１３８】
ステップＳ２４００において、購入申し込み先３００の通信部３０１は、受信装置２００より購入依頼を受信する。そして、購入申し込み先３００は、購入依頼に含まれる、購入依頼情報を取得する。
【０１３９】
ステップＳ２４０１において、購入申し込み先３００は、購入依頼情報に含まれる購入者情報（購入者の住所、氏名、電話番号、支払い方法等）をチェックする。購入申し込み先３００は、購入者の住所が存在しない住所や、購入者の氏名（及び電話番号）等がブラックリストに載っている人物の場合には、ステップＳ２４０６に進む。ステップＳ２４０６において、購入申し込み先３００は、購入できない旨の購入エラー情報を、ネットワーク３１０を介して受信装置２００に送信する。一方、購入者情報に問題がないと判断すると、購入申し込み先３００は、ステップＳ２４０２に進む。
【０１４０】
ステップＳ２４０２において、購入申し込み先３００は、購入商品名（又は購入コード）と、購入個数情報とに基づいて、購入依頼されている商品の在庫をチェックし、在庫があると判断すると、ステップＳ２４０３に進む。一方、在庫がないと判断すると、購入申し込み先３００は、ステップＳ２４０６に進み、在庫切れである旨の購入エラー情報を、ネットワーク３１０を介して受信装置２００に送信する。
【０１４１】
ステップＳ２４０３において、購入申し込み先３００は、購入依頼されている商品の在庫を抑えるために商品在庫の確保を行う。
【０１４２】
ステップＳ２４０４において、購入申し込み先３００の受領情報生成部３０２は、購入依頼を受け付けたことを示す受領情報を生成する。ここで、購入申し込み先３００は、電子透かしや、認証番号、２次元バーコード等の様々な暗号化機能を適宜使用して、受領情報を作成する。
【０１４３】
ステップＳ２４０５において、購入申し込み先３００の通信部３０１は、ステップＳ２４０４において作成された受領情報を、ネットワーク３１０を介して、受信装置２００に送信する。
【０１４４】
図２６は、印刷ジョブ実行処理の一例を示すフローチャートである。
購入依頼を図２３のステップＳ２２０７において送信した後、急な電源ＯＦＦ要求をリモコン２１１から受信する場合に備えてステップＳ２５０１において、受信装置２００は、電源がスタンバイ状態かどうかをチェックする。
【０１４５】
より具体的に説明すると、リモコン２１１から電源ＯＦＦ要求がユーザーＩ／Ｆ部２０９に送られると、ユーザーＩ／Ｆ部２０９は、電源管理部２１３に対して電源スタンバイ要求を行う。電源管理部２１３は、電源スタンバイ要求を受け取ると、表示に関する電源はＯＦＦにするが、通信制御部２０５の電源はＯＮの状態を保持して、購入申し込み先３００からのレスポンスを待つ。
【０１４６】
ステップＳ２５０１では、このようなスタンバイ状態であった場合には、受信装置２００は、購入申し込み先３００から受領情報を受信してから、ステップＳ２５１０に進む。ステップＳ２５１０において、受信装置２００は、予約管理部２１４に受領情報の印刷に係る印刷予約情報を格納する。そして、受信装置２００は、電源管理部２１３により完全に電源がＯＦＦの状態にされる。
【０１４７】
一方、ステップＳ２５０１において、スタンバイ状態でない状態であった場合には、受信装置２００は、購入申し込み先３００から受領情報を受信してから、ステップＳ２５０２に進む。
【０１４８】
ステップＳ２５０２において、受信装置２００は、図２７に示されるような購入完了画面を、記録領域２０４、データデコード部２１２、画像合成部２０７、表示部２０８を介して表示装置２１０に表示する。図２７は、購入完了画面の一例を示す図である。図２７に示されるように、購入完了画面には、購入した品物の画像２６０１と、購入商品名や価格、宅配日（お届け日）、住所等の購入関連の情報２６０２と、が表示される。
【０１４９】
図２７に示されるような購入完了画面を表示した後、受信装置２００は、印刷設定がＯＦＦ以外であれば、自装置に接続されている印刷装置４００の状態を、印刷制御部２１５によりチェックする。ここで、ユーザーは、例えばリモコン２１１等を用いて、印刷設定として、１．"ＯＦＦ"、２．"印刷"、３．"選択"、４．"自動"の４種類の内、好きな設定を行うことができるものとする。
【０１５０】
印刷制御部２１５ではＵＳＢケーブル４０１が接続されており、更にバスがアクティブになっていて既に印刷装置４００のディスクリプタ情報を取得済みであり、印刷可能等、ＰＴＰプロトコルによって判定が済んでいればステップＳ２５０４に進む。一方、印刷可能等、ＰＴＰプロトコルによって判定が済んでいなければ、受信装置２００は、ステップＳ２５１０に進み、予約管理部２１４に受領情報の印刷に係る印刷予約情報を格納して、図２６に示す処理を終了する。
【０１５１】
ステップＳ２５０４において、受信装置２００は、印刷設定に応じて、処理を振り分ける。つまり、受信装置２００は、印刷設定が"印刷"であれば直ぐにステップＳ２５０６に進み、印刷設定が"選択"であればステップＳ２５０５に進み、印刷設定が"自動"であればステップＳ２５０８に進む。
【０１５２】
ステップＳ２５０６において、受信装置２００は、印刷制御装部２１５を介して、印刷装置４００に対して、購入申し込み先３００から受信した受領情報に基づいた情報の印刷要求を実行する。印刷装置４００が印刷を実行したらステップＳ２５０７において、受信装置２００は、図２８に示すような印刷完了画面２７０１を表示装置２１０に表示して、図２６に示す処理を終了する。図２８は、印刷完了画面の一例を示す図である。
【０１５３】
一方、ステップＳ２５０５において、受信装置２００は、図２９に示すような印刷選択画面を表示装置２１０に表示する。図２９は、印刷選択画面の一例を示す図である。図２９に示されるように、印刷選択画面には、印刷ボタン２８０１と、中止ボタン２８０２と、印刷選択メッセージ２８０３とが表示されている。ここで、リモコン２１１を用いて印刷ボタン２８０１が選択された場合には、受信装置２００は、ステップＳ２５０６に進む。また、リモコン２１１を用いて中止ボタン２８０２が選択された場合には、受信装置２００は、ステップＳ２５１０に進む。ステップＳ２５１０では、受信装置２００は、上述したように、予約管理部２１４に受領情報の印刷に係る印刷予約情報を格納して、図２６に示す処理を終了する。
【０１５４】
一方、ステップＳ２５０８において、受信装置２００は、表示部２０８のシーン検出によるコマーシャル（以下、ＣＭという）検出機能によりＣＭが検出されたかどうかを判断する。ＣＭが検出されたと判断した場合、受信装置２００は、ステップＳ２５０５に進み、上述しように、図２９に示すような印刷選択画面を表示装置２１０に表示する。ＣＭが検出されなかったと判断した場合、受信装置２００は、ステップＳ２５０９に進み、番組が終了したかどうかを判断する。
【０１５５】
例えば、受信装置２００は、購入依頼を実行した番組の番号と、予約管理部２１４又は記録領域２０４で保持、管理されているＥＰＧ等の番組情報とから、購入依頼を実行した番組の終了時刻をサーチして、終了時刻を過ぎていれば番組終了と判断する。
【０１５６】
番組が終了したものと判断した場合、受信装置２００は、ステップＳ２５０５に進み、上述しように、図２９に示すような印刷選択画面を表示装置２１０に表示する。番組が終了していないと判断した場合、受信装置２００は、ステップＳ２５１０に進む。ステップＳ２５１０では、受信装置２００は、上述したように、予約管理部２１４に受領情報の印刷に係る印刷予約情報を格納して、図２６に示す処理を終了する。
【０１５７】
予約管理部２１４に印刷予約情報が格納された後の処理の一例を図３０に示す。図３０は、予約管理部２１４に印刷予約情報が格納された後の処理の一例を示すフローチャートである。
【０１５８】
ステップＳ２９０１において、受信装置２００は、印刷予約情報が予約管理部２１４に保持されているかどうかを判断する。受信装置２００は、印刷予約情報が予約管理部２１４に保持されていないと判断すると、図３０に示す処理を終え、印刷予約情報が予約管理部２１４に保持されていると判断すると、ステップＳ２９０２に進む。
【０１５９】
ステップＳ２９０２の印刷ジョブ実行処理は、上述した図２６の処理と同様である。図３０に示されるような処理を定期的に実行することによって、例えば、印刷設定が"自動"の場合、視聴中にＣＭが放映された瞬間に印刷選択画面が表示装置２１０に表示したり、番組終了時に印刷選択画面が表示装置２１０に表示したりすることできる。このことで、ユーザーの視聴を妨げずに印刷を実行することができる。
【０１６０】
また、電源がＯＮされたときに、図３０に示されるような処理を行うことで、印刷予約情報の印刷のし忘れを防止することができる。
【０１６１】
また、印刷制御部２１５は、印刷した印刷物に、バーコードや、２次元コード（例えば、ＱＲコード（登録商標）等）、ＵＲＬ等の印刷情報が印刷されるよう、印刷を制御するようにしてもよい。このようにすることで、ユーザーは、この印刷情報を用いて、所定のサイトにアクセスすることで簡単に配達状況等を確認することができる。
【０１６２】
なお、本実施形態では、受信装置２００と、購入申し込み先３００とが直接ネットワークで接続されている形態を用いて、受領情報の印刷に係る説明を行った。しかしながら、例えば、実施形態２のように、ケーブルテレビ等の双方向ネットワークを使用して、放送局と、受信装置とを直接接続し、データの送受信を行う形態においても、受領情報の印刷に係る本実施形態は実現することができる。
【０１６３】
以上、上述したように本実施形態によれば、購入した商品の購入依頼が完了したことを証明する証明書を、印刷装置を用いて印刷することができる。つまり、商品の購入後に購入依頼が完了したかどうかを確認することができる。また、証明書として発行することによって、ユーザーにとって安全で分かりやすいシステムを提供することができる。
＜その他の実施形態＞
また、本発明の目的は、以下のようにすることによって達成されることはいうまでもない。即ち、上述した実施形態の機能を実現するソフトウェアのプログラムコードを記録した記録媒体（又は記憶媒体）を、システム或いは装置に供給する。そして、そのシステム或いは装置のコンピュータ（又はＣＰＵやＭＰＵ）が記録媒体に格納されたプログラムコードを読み出し実行する。この場合、記録媒体から読み出されたプログラムコード自体が上述した実施形態の機能を実現することになり、そのプログラムコードを記録した記録媒体は本発明を構成することになる。
【０１６４】
また、コンピュータが読み出したプログラムコードを実行することにより、そのプログラムコードの指示に基づき、コンピュータ上で稼働しているオペレーティングシステム（ＯＳ）等が実際の処理の一部又は全部を行う。その処理によって上述した実施形態の機能が実現される場合も含まれることは言うまでもない。
【０１６５】
更に、記録媒体から読み出されたプログラムコードが、コンピュータに挿入された機能拡張カードやコンピュータに接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれることは言うまでもない。
【０１６６】
本発明を前記記録媒体に適用する場合、その記録媒体には、先に説明したフローチャートに対応するプログラムコードが格納されることになる。
【０１６７】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【０１６８】
【図１】受信装置のハードウェア構成の一例を示す図である。
【図２】実施形態１における受信装置に関する商品購入に係るシステムのシステム構成の一例を示す図である。
【図３】実施形態１における商品購入に係る一連の処理の一例を示すフローチャートである。
【図４】実施形態１における購入画面の一例を示す図である。
【図５】実施形態１におけるイベント処理の一例を示すフローチャートである。
【図６】実施形態１における電源ＯＦＦのイベントが発生した場合の購入画面の一例を示す図である。
【図７】実施形態１における視聴予約のイベントが発生した場合の購入画面の一例を示す図である。
【図８】実施形態１におけるチャンネル切り替えのイベントが発生した場合の購入画面の一例を示す図である。
【図９】実施形態１における外部入力切り替えのイベントが発生した場合の購入画面の一例を示す図である。
【図１０】実施形態２における受信装置に関する商品購入に係るシステムのシステム構成の一例を示す図である。
【図１１】実施形態２における商品購入に係る一覧の処理の一例を示すフローチャートである。
【図１２】実施形態２における購入画面の一例を示す図である。
【図１３】実施形態２におけるイベント処理の一例を示すフローチャートである。
【図１４】実施形態２における電源ＯＦＦイベントが発生した場合の購入画面の一例を示す図である。
【図１５】実施形態２における視聴予約のイベントが発生した場合の購入画面の一例を示す図である。
【図１６】実施形態２におけるチャンネル切り替えのイベントが発生した場合の購入画面の一例を示す図である。
【図１７】実施形態２における外部入力切り替えのイベントが発生した場合の購入画面の一例を示す図である。
【図１８】番組終了に係る処理の一例を示すフローチャートである。
【図１９】番組終了を検出した場合の購入画面の一例を示す図である。
【図２０】商品の残個数に係る処理の一例を示すフローチャートである。
【図２１】商品の残個数を検出した場合の購入画面の一例を示す図である。
【図２２】実施形態３における受信装置に関する商品購入に係るシステムのシステム構成の一例を示す図である。
【図２３】実施形態３における商品購入に係る一連の処理の一例を示すフローチャートである。
【図２４】実施形態３における購入画面の一例を示す図である。
【図２５】購入申し込み先３００における処理の一例を示すフローチャートである。
【図２６】印刷ジョブ実行処理の一例を示すフローチャートである。
【図２７】購入完了画面の一例を示す図である。
【図２８】印刷完了画面の一例を示す図である。
【図２９】印刷選択画面の一例を示す図である。
【図３０】予約管理部２１４に印刷予約情報が格納された後の処理の一例を示すフローチャートである。
【符号の説明】
【０１６９】
１０  ＲＯＭ
１１  ＲＡＭ
１２  ＣＰＵ
１３  ＨＤＤ
１４  表示装置
【図１】
2008061201.tif 000003
【図２】
2008061201.tif 000004
【図３】
2008061201.tif 000005
【図４】
2008061201.tif 000006
【図５】
2008061201.tif 000007
【図６】
2008061201.tif 000008
【図７】
2008061201.tif 000009
【図８】
2008061201.tif 000010
【図９】
2008061201.tif 000011
【図１０】
2008061201.tif 000012
【図１１】
2008061201.tif 000013
【図１２】
2008061201.tif 000014
【図１３】
2008061201.tif 000015
【図１４】
2008061201.tif 000016
【図１５】
2008061201.tif 000017
【図１６】
2008061201.tif 000018
【図１７】
2008061201.tif 000019
【図１８】
2008061201.tif 000020
【図１９】
2008061201.tif 000021
【図２０】
2008061201.tif 000022
【図２１】
2008061201.tif 000023
【図２２】
2008061201.tif 000024
【図２３】
2008061201.tif 000025
【図２４】
2008061201.tif 000026
【図２５】
2008061201.tif 000027
【図２６】
2008061201.tif 000028
【図２７】
2008061201.tif 000029
【図２８】
2008061201.tif 000030
【図２９】
2008061201.tif 000031
【図３０】
2008061201.tif 000032